(57)【要約】【課題】光ケーブルに接続される光カプラの有無を正しく判定する。【解決手段】受光部１１により、光ケーブルを流れる通信光を検知し、通信光が検知されないときには、光カプラが接続されているときには光ファイバに接続され、光カプラが接続されていないときには光ファイバに接続されない端子に光パルスを入射し、イベント検出部１３により、光パルスに対する戻り光により測定された光ケーブルの特性におけるイベントを検出し、判定処理部１４により、通信光の有無、およびイベントの有無に基づいて光カプラの接続の有無を判定する。これにより、現用回線に影響を与えることなく、光ケーブルに接続される光カプラの有無を正しく判定することができる。【選択図】図２
2010038760.tif 000002
【特許請求の範囲】
【請求項１】
光ケーブルに光カプラが接続されているか否かを判定する光カプラ判定装置であって、
前記光ケーブルを流れる通信光を検知する通信光検知手段と、
前記通信光検知手段により通信光が検知されない場合に、光カプラが接続されているときは前記光ファイバに接続され、光カプラが接続されていないときには前記光ファイバに接続されない端子へ光パルスを入射する光パルス発生手段と、
前記光パルスに対する戻り光により測定された前記光ケーブルの特性において観測されるイベントを検出するイベント検出手段と、
通信光が検知された場合、あるいは、イベントが検出された場合は、光カプラが接続されていると判定し、イベントが検出できない場合は、光カプラが接続されていないと判定する判定手段と、
を有することを特徴とする光カプラ判定装置。
【請求項２】
光ケーブルに光カプラが接続されているか否かを判定する光カプラ判定方法であって、
前記光ケーブルを流れる通信光を検知するステップと、
前記検知するステップにおいて通信光が検知されない場合に、光カプラが接続されているときは前記光ファイバに接続され、光カプラが接続されていないときには前記光ファイバに接続されない端子へ光パルスを入射するステップと、
前記光パルスに対する戻り光により測定された前記光ケーブルの特性において観測されるイベントを検出するステップと、
通信光が検知された場合、あるいは、イベントが検出された場合は、光カプラが接続されていると判定し、イベントが検出できない場合は、光カプラが接続されていないと判定するステップと、
を有することを特徴とする光カプラ判定方法。
【発明の詳細な説明】
【技術分野】
【０００１】
本発明は、試験装置と光ケーブルとの間に接続された光カプラの有無を検出する技術に関する。
【背景技術】
【０００２】
設備ビルから敷設されている光ケーブルの保守は、試験装置により保守対象の光ケーブルに光信号を入射して光ケーブル全長の状態をモニタすることで行う。試験装置は、直接、あるいは、光カプラを介して光ケーブルに接続される。光カプラの性能を監視するシステムとして特許文献１に記載のものが知られている。
【特許文献１】特開２００１−３３９３４８号公報
【発明の開示】
【発明が解決しようとする課題】
【０００３】
図５は、試験装置と光カプラの接続を説明するための図である。同図の左側に示すＡポートに設備ビル内に配置された伝送装置が接続され、同図の右側に示すＢポートの先に設備ビル外のユーザ側の端末が接続される。そして、同図の下側に示すＣポートと試験装置側ポートが８ＭＴコネクタにより接続される。
【０００４】
図６は、試験装置が光カプラを介さないで光ケーブルに接続されている様子を示す図である。一般に普及しているコネクタでは、４つの心線が８つの端子の内の中央の４つの端子に接続されているため、光カプラを介さないで試験装置側ポートを光ケーブルに接続した場合、試験装置側ポートの端子３〜６に対応する箇所に４つの心線が接続される。
【０００５】
図５に示すように光カプラが接続されている場合、試験装置が＃３の心線を試験するときは試験装置側ポートの端子３へ試験信号を入射する。一方、図６に示すように光カプラが接続されていない場合、試験装置が＃３の心線を試験するときは試験装置側ポートの端子５へ試験信号を入射する。
【０００６】
このように、光カプラの有無により光ケーブルの心線が接続される試験装置の端子が異なるので、光カプラの有無を設備データとしてデータベースに格納し、その設備データを参照して試験を行っていた。実際の光カプラの設置状況と設備データの内容が異なる場合、試験信号が誤った心線に入射してサービス中の現用回線に影響を与える可能性がある。例えば、光カプラを設置しているにもかかわらず設備データの内容が光カプラ無しとなっている場合、試験装置が＃３の心線を試験するために端子３へ入射した試験信号は誤って＃１の心線に入射してしまう。
【０００７】
しかしながら、設備データを用いる場合、開通工事等で光カプラを取り付けた時には、設備データを更新しなければならないが、実際に光カプラを取り付けてから設備データを更新するまでにはタイムラグが発生するという問題がある。また、人間が設備データの更新を行うのでデータの誤りが発生する可能性があるという問題がある。さらに、設備データの整合性調査を実施するという膨大な作業が必要となる。なお、特許文献１に記載の発明は、光カプラの正常性を監視するものであり、光カプラの有無を判定するものではない。
【０００８】
本発明は、上記に鑑みてなされたものであり、その課題とするところは、試験装置と光ケーブルとの間に接続される光カプラの有無を正しく判定することにある。
【課題を解決するための手段】
【０００９】
第１の本発明に係る光カプラ判定装置は、光ケーブルに光カプラが接続されているか否かを判定する光カプラ判定装置であって、光ケーブルを流れる通信光の有無を検知する通信光検知手段と、通信光検知手段により通信光が検知されない場合に、光カプラが接続されているときは光ファイバに接続され、光カプラが接続されていないときには光ファイバに接続されない端子へ光パルスを入射する光パルス発生手段と、光パルスに対する戻り光により測定された光ケーブルの特性において観測されるイベントを検出するイベント検出手段と、通信光が検知された場合、あるいは、イベントが検出された場合は、光カプラが接続されていると判定し、イベントを検出できない場合は、光カプラが接続されていないと判定する判定手段と、を有することを特徴とする。
【００１０】
第２の本発明に係る光カプラ判定方法は、光ケーブルに光カプラが接続されているか否かを判定する光カプラ判定方法であって、光ケーブルを流れる通信光の有無を検知するステップと、検知するステップにおいて通信光が検知されない場合に、光カプラが接続されているときは光ファイバに接続され、光カプラが接続されていないときには光ファイバに接続されない端子へ光パルスを入射するステップと、光パルスに対する戻り光により測定された光ケーブルの特性において観測されるイベントを検出するステップと、通信光が検知された場合、あるいは、イベントが検出された場合は、光カプラが接続されていると判定し、イベントを検出できない場合は、光カプラが接続されていないと判定するステップと、を有することを特徴とする。
【発明の効果】
【００１１】
本発明によれば、光ケーブルを流れる通信光の有無を検知し、通信光が検知されない場合に、光ケーブルに光パルスを入射して、光パルスに対する戻り光により測定される光ケーブルの特性におけるイベントを検出することにより、サービス中の現用回線に影響を与えることなく、光ケーブルに接続される光カプラの有無を正しく判定することができる。
【００１２】
光カプラの接続の有無は、通信光の有無、イベントの有無により判定する。光カプラ判定装置が光カプラを介して光ケーブルに接続されている場合は通信光が検知される。また、通信光が検知されない場合でも、光カプラの有無によって光ケーブルへの接続状態が異なる端子へ光パルスを入射することにより、光パルスに対する戻り光により測定される光ケーブルの特性が異なる。光カプラが接続されている場合は、測定された光ケーブルの特性においてイベントが検出される。したがって、通信光が検知された場合、もしくは、イベントが検出された場合は、光ケーブルに光カプラが接続されており、通信光が検知されず、イベントも検出されない場合は、光ケーブルに光カプラが接続されていないと判定する。
【発明を実施するための最良の形態】
【００１３】
以下、本発明の実施の形態について図面を用いて説明する。
【００１４】
図１は、本実施の形態における試験装置を説明するための図である。同図に示す設備ビルは、試験装置１、ファイバセレクタ４、光カプラ２１Ａ，２１Ｂを設置する光成端架２、および伝送装置３Ａ，３Ｂを備える。試験装置１と光成端架２との間には、光ケーブルを選択するためのファイバセレクタ４が設けられる。このファイバセレクタ４により、試験装置１を接続する光ケーブル１０Ａ，１０Ｂ，１０Ｃを選択する。光ケーブル１０Ａは、光カプラ２１Ａを介して伝送装置３Ａおよびファイバセレクタ４に接続されている。光ケーブル１０Ｂは、光カプラ２１Ｂを介して伝送装置３Ｂおよびファイバセレクタ４に接続されている。光ケーブル１０Ｃは、符号２２で示すように、光カプラが接続されずファイバセレクタ４に直接接続されている。ここで、光ケーブル１０Ａは、サービス中の現用回線であり、伝送装置３Ａからの通信光が流れている。一方、伝送装置３Ｂに接続した光ケーブル１０Ｂは、サービス停止中の回線であり、伝送装置３Ｂからは通信光が流れない。伝送装置が接続されていない光ケーブル１０Ｃにも通信光は流れない。
【００１５】
なお、試験装置１は保守拠点の操作端末とネットワークを介して接続されており、遠隔操作により試験装置１を制御できる。
【００１６】
図２は、試験装置１の構成を示すブロック図である。同図に示す試験装置１は、受光部１１、光パルス発生部１２、イベント検出部１３、および判定処理部１４を備える。受光部１１および光パルス発生部１２の先のコネクタは、ファイバセレクタ４を介して、光カプラ２１Ａ，２１Ｂあるいは光ケーブルに接続される。
【００１７】
受光部１１は、伝送装置３Ａ，３Ｂからの通信光、あるいは、光ケーブル１０Ａ，１０Ｂ，１０Ｃからの戻り光を受光する。
【００１８】
光パルス発生部１２は、光ケーブル１０Ａ，１０Ｂ，１０Ｃに光パルスを入射する。
【００１９】
イベント検出部１３は、受光部１１が受光した光ケーブル１０Ａ，１０Ｂ，１０Ｃの戻り光の強度から接続点や端末等による反射点などのイベントを検出する。
【００２０】
判定処理部１４は、伝送装置３Ａ，３Ｂからの通信光の有無やイベント検出部１３が検出したイベントの有無に基づき、被試験対象の光ケーブル１０Ａ，１０Ｂ，１０Ｃに光カプラが接続されているか否かを判定する。
【００２１】
次に、光カプラの有無を判定する処理の流れについて説明する。図３は、光カプラの有無を判定する処理の流れを示すフローチャートである。
【００２２】
まず、受光部１１が、試験装置１に接続した被試験対象の光ケーブルの各心線の通信光の有無を確認する（ステップＳ３０１）。各心線の通信光の有無は、図５，６に示した試験装置側ポートの端子１〜８の光レベルを検知することで行う。検知した光レベルが設定値以上のときは通信光有りと、設定値より小さいときは通信光無しとする。いずれかの心線で通信光が確認された場合、判定処理部１４は、被試験対象の光ケーブルは現用回線であって光カプラが接続されていると判定する。図１では、光ケーブル１０Ａが該当する。
【００２３】
通信光が確認されなかった場合、光パルス発生部１２が、被試験対象の光ケーブルに対して光パルスを入射する（ステップＳ３０２）。光パルスが入射される被試験対象の光ケーブルは、現用回線ではないのでサービスに影響を与えることがない。光パルスは、図５，６に示した試験装置側ポートの端子１，２のいずれかへ入射する。試験装置側ポートの端子１，２は、光カプラが接続されているときは光ケーブルに接続され、光カプラが接続されていないときは光ケーブルに接続されない端子である。
【００２４】
続いて、光ケーブルに入射した光パルスの戻り光を受光部１１で受光し、光ファイバの全長にわたる特性を測定する。そして、イベント検出部１３が特性の大きく変化するイベントを検出し、判定処理部１４が接続点や端末等を示すイベントの有無を確認する（ステップＳ３０３）。図４は、光ファイバの特性の測定結果を示す図である。同図の横軸は距離を示し、縦軸は損失レベルを示す。波形４００は、イベントが有る場合の測定結果であり、接続点におけるイベント４０１、端末におけるイベント４０２の存在が確認できる。波形４００のように、光パルスに対する戻り光は距離に応じてなだらかに減衰していくが、接続点や端末等による反射点においては大きく変化する。一方、波形４１０は、イベントが無い場合の測定結果である。
【００２５】
図５に示すように、光カプラが接続されている場合、試験装置側ポートの端末１，２へ入射した光パルスは設備ビルを出て接続点や端末等に到達するので、接続点や端末等による反射点を示すイベント４０１，４０２を観測することができる。なお、試験装置側ポートの端末７，８へ光パルスを入射すると、光パルスは同じ設備ビル内の伝送装置３Ａ，３Ｂに到達する。一方、図６に示すように、光ケーブルに光カプラが接続されていない場合、試験装置側ポートの端末１，２へ入射した光パルスは光ケーブルに入射しないため、接続点や端末等によるイベントは観測されない。
【００２６】
そして、判定処理部１４は、イベントの有無に基づいて光カプラの有無を判定する。イベントが検出された光ケーブルには光カプラが接続されていると判定する。図１では、光ケーブル１０Ｂが該当する。イベントが検出されない光ケーブルには光カプラが接続されていないと判定する。図１では、光ケーブル１０Ｃが該当する。
【００２７】
試験装置１が試験を行う際に、上記のように、試験装置１と光ケーブル１０Ａ，１０Ｂ，１０Ｃとの間に接続される光カプラ２１Ａ，２１Ｂの有無を判定することで、間違った心線を選択して試験することがなくなる。
【００２８】
なお、本実施の形態では、４心１テープを収容する光カプラを例にして説明したが、これに限定するものではなく、４心２テープ、８心２テープ等を収容する光カプラにも同様に適用可能である。もちろん、フィルタを備えた光カプラにも適用可能である。
【００２９】
したがって、本実施の形態によれば、受光部１１により、光ケーブルを流れる通信光を検知し、通信光が検知されないときには、光カプラが接続されているときには光ファイバに接続され、光カプラが接続されていないときには光ファイバに接続されない端子に光パルスを入射し、イベント検出部１３により、光パルスに対する戻り光により測定された光ケーブルの特性におけるイベントを検出し、判定処理部１４により、通信光の有無、およびイベントの有無に基づいて光カプラの接続の有無を判定することにより、現用回線に影響を与えることなく、光ケーブルに接続される光カプラの有無を正しく判定することができる。
【図面の簡単な説明】
【００３０】
【図１】一実施の形態における試験装置を配置した設備ビルの構成を示す図である。
【図２】一実施の形態における試験装置の構成を示すブロック図である。
【図３】光カプラの有無を判定する処理の流れを示すフローチャートである。
【図４】光パルスに対する戻り光で測定した光ファイバの特性を示す図である。
【図５】光カプラが接続されているときの光ケーブルと試験装置との接続を説明するための図である。
【図６】光カプラが接続されていないときの光ケーブルと試験装置との接続を説明するための図である。
【符号の説明】
【００３１】
１…試験装置
１１…受光部
１２…光パルス発生部
１３…イベント検出部
１４…判定処理部
２…光成端架
３Ａ，３Ｂ…伝送装置
４…ファイバセレクタ
１０Ａ，１０Ｂ，１０Ｃ…光ケーブル
２１Ａ，２１Ｂ…光カプラ
【図１】
2010038760.tif 000003
【図２】
2010038760.tif 000004
【図３】
2010038760.tif 000005
【図４】
2010038760.tif 000006
【図５】
2010038760.tif 000007
【図６】
2010038760.tif 000008